(57)【要約】【課題】課題は、分電盤への電気機器の接続が容易になる、アダプタ、及び分電盤を提供することである。【解決手段】アダプタ１０は、第１接続部１１と、第２接続部１２と、電気回路部１３と、を備える。第１接続部１１は、分岐開閉器２０の負荷接続部２２に電気的かつ機械的に接続可能な端子１１１，１１１を有する。第２接続部１２は、ソケット１２０を有する。電気回路部１３は、第１接続部１１と第２接続部１２とを電気的に接続する。【選択図】  図１
2020089074.tif 000002
【特許請求の範囲】
【請求項１】
分岐開閉器の負荷接続部に電気的かつ機械的に接続可能な端子を有する第１接続部と、
ソケットを有する第２接続部と、
前記第１接続部と前記第２接続部とを電気的に接続する電気回路部と、
を備える、
アダプタ。
【請求項２】
前記電気回路部は、前記第１接続部で受けた交流電圧をそのまま前記第２接続部に与える電路を含む、
請求項１のアダプタ。
【請求項３】
前記ソケットは、ＡＣプラグを接続可能なソケットである、
請求項２のアダプタ。
【請求項４】
前記電気回路部は、前記第１接続部で受けた交流電圧を直流電圧に変換して前記第２接続部に与える変換回路を含む、
請求項１のアダプタ。
【請求項５】
前記ソケットは、ＤＣプラグを接続可能なソケットである、
請求項４のアダプタ。
【請求項６】
前記ソケットは、ＵＳＢプラグを接続可能なソケットである、
請求項４のアダプタ。
【請求項７】
前記第１接続部を収容する第１筐体と、
前記第１筐体と別体であり、前記第２接続部を収容する第２筐体と、
を更に備え、
前記電気回路部は、前記第１接続部と前記第２接続部とを互いに電気的に接続するケーブルを含む、
請求項１〜６のいずれか一つのアダプタ。
【請求項８】
前記第１接続部、前記第２接続部、及び前記電気回路部を収容する筐体を更に備える、
請求項１〜６のいずれか一つのアダプタ。
【請求項９】
前記筐体は、前記分岐開閉器と同じ幅を有する、
請求項８のアダプタ。
【請求項１０】
前記第１接続部は、前記筐体の長さに沿った方向の一端側にある、
請求項９のアダプタ。
【請求項１１】
前記筐体は、前記第１接続部を前記分岐開閉器の負荷接続部に接続した状態で、前記分岐開閉器に接触する形状である、
請求項１０のアダプタ。
【請求項１２】
分岐開閉器の負荷接続部に対応する第３接続部を更に備え、
前記電気回路部は、前記第１接続部で受けた交流電圧をそのまま前記第３接続部に与える電路を含む、
請求項１〜１１のいずれか一つのアダプタ。
【請求項１３】
前記第１接続部の端子は、速結端子に接続可能な棒形端子である、
請求項１〜１２のいずれか一つのアダプタ。
【請求項１４】
前記第２接続部から電力を出力していることを通知する通知部を更に備える、
請求項１〜１３のいずれか一つのアダプタ。
【請求項１５】
１以上の分岐開閉器と、
前記１以上の分岐開閉器を収容するキャビネットと、
請求項１〜１４のいずれか一つのアダプタと、
を備える、
分電盤。
【発明の詳細な説明】
【技術分野】
【０００１】
本開示は、アダプタ、及び分電盤に関する。本開示は、特に、分岐開閉器用のアダプタ、及び当該アダプタを備える分電盤に関する。
【背景技術】
【０００２】
特許文献１は、住宅用分電盤を開示する。特許文献１の住宅用分電盤は、開閉器である１つの主幹回路遮断器と開閉器（分岐開閉器）である複数の分岐回路遮断器とを箱体の中に配置した分電盤である。
【先行技術文献】
【特許文献】
【０００３】
【特許文献１】特開２００１−１５７３１９号公報
【発明の概要】
【発明が解決しようとする課題】
【０００４】
特許文献１に示すような分電盤に電気機器を接続するには、コンセント等の配線器具を用いる必要がある。
【０００５】
課題は、分電盤への電気機器の接続が容易になる、アダプタ、及び分電盤を提供することである。
【課題を解決するための手段】
【０００６】
本開示の一態様のアダプタは、第１接続部と、第２接続部と、電気回路部とを備える。前記第１接続部は、分岐開閉器の負荷接続部に電気的かつ機械的に接続可能な端子を有する。前記第２接続部は、ソケットを有する。前記電気回路部は、前記第１接続部と前記第２接続部とを電気的に接続する。
【０００７】
本開示の一態様の分電盤は、１以上の分岐開閉器と、前記１以上の分岐開閉器を収容するキャビネットと、上述のアダプタと、を備える。
【発明の効果】
【０００８】
本開示の態様によれば、分電盤への電気機器の接続が容易になる、という効果を奏する。
【図面の簡単な説明】
【０００９】
【図１】図１は、実施形態１のアダプタの斜視図である。
【図２】図２は、実施形態１のアダプタの回路の概略図である。
【図３】図３は、実施形態１のアダプタが接続された分岐開閉器の側面図である。
【図４】図４は、実施形態１のアダプタが接続された分岐開閉器の平面図である。
【図５】図５は、実施形態１のアダプタが接続された分岐開閉器を含む分電盤の平面図である。
【図６】図６は、実施形態２のアダプタの斜視図である。
【図７】図７は、実施形態２のアダプタの回路の概略図である。
【図８】図８は、実施形態２のアダプタが接続された分岐開閉器の側面図である。
【図９】図９は、実施形態２のアダプタが接続された分岐開閉器の平面図である。
【図１０】図１０は、実施形態３のアダプタの斜視図である。
【発明を実施するための形態】
【００１０】
１．実施形態
１．１  実施形態１
１．１．１  概要
図１は、本実施形態のアダプタ１０、並びに、アダプタ１０が接続される分岐開閉器２０を示す。アダプタ１０は、第１接続部１１と、第２接続部１２と、電気回路部１３と、を備える。第１接続部１１は、分岐開閉器２０の負荷接続部２２に電気的かつ機械的に接続可能な端子１１１，１１１を有する。第２接続部１２は、ソケット１２０を有する。電気回路部１３は、第１接続部１１と第２接続部１２とを電気的に接続する。
【００１１】
アダプタ１０によれば、電気機器のプラグ（ＡＣプラグＰ１０、図３参照）を、分岐開閉器２０の負荷接続部２２に電気的に接続することが可能になる。そのため、別途コンセント等の配線器具を用いることなく、電気機器を分電盤に接続できる。よって、アダプタ１０によれば、分電盤への電気機器の接続が容易になる。
【００１２】
１．１．２  詳細
以下、本実施形態のアダプタ１０について更に詳細に説明する。本実施形態のアダプタ１０は、電気機器を分岐開閉器２０に電気的に接続するために利用される。
【００１３】
電気機器の例としては、センサ関連機器、空調関連機器、住宅・設備関連機器、調理・家事関連機器、健康管理関連機器、管理・操作関連機器、ＡＶ関連機器が挙げられる。センサ関連機器の例としては、カメラ、火災センサ、人体検知センサ、温度センサ、ＣＯ２センサ、電流量センサが挙げられる。空調関連機器の例としては、エアコン、扇風機、換気扇、空気清浄機、ホットカーペット、石油ファンヒータ、電気ストーブが挙げられる。住宅・設備関連機器の例としては、電動ブラインド、電動カーテン、温水器、電気錠、スマートメーター、太陽光発電設備、蓄電池、燃料電池、一般照明、単機能照明、非常灯が挙げられる。調理・家事関連機器の例としては、ＩＨ調理器（クッキングヒータ）、電子レンジ、オーブントースタ、食器洗い機、食器乾燥機、洗濯機、衣類乾燥機、自動掃除機が挙げられる。健康管理関連機器の例としては、体重計、体脂肪計、体温計、血圧計、血糖値計が挙げられる。管理・操作関連機器の例としては、コントローラ、スイッチ（ＨＡ機器）が挙げられる。ＡＶ関連機器の例としては、ＴＶ、ディスプレイが挙げられる。
【００１４】
分岐開閉器２０は、図５に示すように、分電盤３０に備えられる。本実施形態では、分電盤３０は、交流電源からの電力を分配するために利用される。つまり、分電盤３０は、交流電源に電気的に接続される。交流電源は、一例として、商用電源である。
【００１５】
図５では、分電盤３０は、主幹開閉器（主幹ブレーカ）４０と、複数の分岐開閉器（分岐ブレーカ）２０とを備える。なお、分電盤３０は、複数の分岐開閉器２０を備えることは必須ではなく、１以上の分岐開閉器２０を有していればよい。
【００１６】
また、分電盤３０は、主幹開閉器４０及び複数の分岐開閉器２０を収容するキャビネット３１を備える。キャビネット３１は、造営材（例えば建物の壁）に取り付けられる。造営材は、建物（戸建て住宅、集合住宅の住戸又はテナントビル等）内の部屋の壁に限らず、例えば、建物内の部屋の天井又は床であってもよい。
【００１７】
主幹開閉器４０は、一次側端子と、二次側端子と、一次側端子と二次側端子との間の電路に接続された接点とを備える。主幹開閉器４０は、例えば接点に漏電電流又は過負荷電流等の過電流が流れる異常状態を検知すると、接点を開いて電路を遮断する。主幹開閉器４０は従来周知の構成であってよいから詳細な説明は省略する。
【００１８】
分電盤３０では、配電方式として単相三線式を想定しているので、主幹開閉器４０の一次側端子には、商用電源の単相三線式の引込線５０が電気的に接続される。また、主幹開閉器４０の二次側端子には、第１電圧極（Ｌ１相）の導電バー、第２電圧極（Ｌ２相）の導電バー、及び中性極（Ｎ相）の導電バーが接続される。
【００１９】
分岐開閉器２０は、配線用遮断器である。分岐開閉器２０は、電源接続部（一次側接続部）２１と、負荷接続部（二次側接続部）２２とを備える。また、分岐開閉器２０は、遮断回路を備える。遮断回路は、電源接続部２１と負荷接続部２２との間の電路に挿入される接点装置と、接点装置を操作するためのハンドル２３とを備える。
【００２０】
電源接続部２１は、電源との接続に利用される。図５では、電源接続部２１は、主幹開閉器４０との電気的接続に利用される。電源接続部２１は、図３に示すように、一対の端子２１１を備える。一対の端子２１１は、主幹開閉器４０の二次側端子に接続された３つの導電バーのうちの２つに接続される。
【００２１】
負荷接続部２２は、負荷との接続に利用される。負荷としては、電気機器との接続のための配線器具が挙げられる。配線器具としては、コンセント、引掛シーリング等がある。負荷接続部２２は、一対の端子と、一対の電線挿入孔２２１と、一対の解除ハンドル２２２とを備える。負荷接続部２２の端子は、電線挿入孔２２１に挿入された接続部材（例えば、電線及び端子）に電気的に接続される。負荷接続部２２の端子は、ばねを利用して、電線挿入孔２２１に挿入された接続部材を保持するように構成されている。負荷接続部２２の端子としては、いわゆる速結端子が利用可能である。解除ハンドル２２２は、負荷接続部２２の端子による接続部材の保持を解除するために用いられる。つまり、解除ハンドル２２２が負荷接続部２２の端子のばねを撓ませることで、接続部材を電線挿入孔２２１から抜くことが可能になる。
【００２２】
また、分岐開閉器２０は、電源接続部２１、負荷接続部２２、接点装置、及びハンドル２３を収容する筐体２４を備える。筐体２４は、図１、図３及び図４に示すように、矩形の箱状である。筐体２４は、長さと幅と厚みを有しており、厚み方向が前後方向として規定されている。筐体２４では、長さ方向の一端側に、電源接続部２１が、他端側に負荷接続部２２が設けられている。また、筐体２４では、前面側に、ハンドル２３が設けられている。
【００２３】
なお、分岐開閉器２０は、熱動式引外し装置を有していてもよい。熱動式引外し装置は、例えば、バイメタル又はトリメタル等の熱動素子を含み、熱動素子が作動することにより、遮断回路の接点装置を開くように構成される。また、分岐開閉器２０は、電磁式引外し装置を有していてもよい。電磁式引外し装置は、例えば、電磁石装置を含み、電磁石装置が作動することにより、遮断回路の接点装置を瞬時に開くように構成される。なお、分岐開閉器２０は、配線用遮断器（ブレーカ）としての機能を有していなくてもよい。分岐開閉器２０は、例えば、スイッチ、リレー又は解列器として用いられてもよい。
【００２４】
アダプタ１０は、図１に示すように、第１接続部１１と、第２接続部１２と、電気回路部１３とを備える。更に、アダプタ１０は、通知部１４を備える。更に、アダプタ１０は、第１接続部１１、第２接続部１２、及び電気回路部１３を収容する筐体１５を備える。なお、通知部１４も筐体１５に収容される。
【００２５】
ここで、図１では、単に図面を簡略化することを目的として、電気回路部１３を概略的に示している。また、同様の目的から、図３では、第１接続部１１、第２接続部１２、電気回路部１３、及び通知部１４を概略的に示している。
【００２６】
第１接続部１１は、アダプタ１０の分岐開閉器２０への接続に利用される。第１接続部１１は、図１及び図２に示すように、一対の端子１１１を有する。端子１１１は、分岐開閉器２０の負荷接続部２２に電気的かつ機械的に接続可能である。本実施形態において、分岐開閉器２０の負荷接続部２２の接続端子は速結端子である。よって、第１接続部１１の端子１１１は、図１に示すように、速結端子に接続可能な棒形端子である。このような第１接続部１１によれば、アダプタ１０の分岐開閉器２０への接続が容易になる。
【００２７】
第２接続部１２は、アダプタ１０への電気機器の接続に利用される。第２接続部１２は、図１に示すように、ソケット１２０を有する。ソケット１２０は、電気機器のプラグを接続可能に構成されている。本実施形態では、ソケット１２０は、図３に示すようなＡＣプラグＰ１０を接続可能なソケットである。このような第２接続部１２によれば、交流電圧で動作する電気機器の分電盤３０への接続が容易になる。
【００２８】
ソケット１２０は、図２に示すように、一対の端子１２１を有している。一対の端子１２１は、筐体１５に設けられた一対の挿入孔１２２，１２２に挿入されたＡＣプラグＰ１０の一対の栓刃にそれぞれ電気的かつ機械的に接続される。各端子１２１は、一例としては、ＡＣプラグＰ１０の栓刃に対応する刃受けである。このようなソケット１２０は、一例としては、一般的な家庭用１００Ｖコンセントの規格（ＪＩＳ  Ｃ  ８３０３  ２極コンセント  １５Ａ  １２５Ｖ）に適合する。
【００２９】
電気回路部１３は、図２に示すように、第１接続部１１と第２接続部１２とを電気的に接続する。より詳細には、電気回路部１３は、一対の電路１３１，１３１を備える。一対の電路１３１，１３１は、第１接続部１１の一対の端子１１１，１１１を第２接続部１２のソケット１２０の一対の端子１２１，１２１にそれぞれ電気的に接続する。各電路１３１は、第１接続部１１で受けた交流電圧をそのまま第２接続部１２に与える。ここで、「そのまま」とは、厳密な意味で同じであることを要求する趣旨ではない。第２接続部１２から出力される交流電圧を、第１接続部１１に入力された交流電圧と同じ用途に使用できれば、「そのまま」といってよい。つまり、第２接続部１２に接続することが、第１接続部１１に接続することと電気的に等価であればよい。このように、電気回路部１３によれば、交流電圧で動作する電気機器の分電盤３０への接続が容易になる。
【００３０】
通知部１４は、第２接続部１２から電力を出力していることを通知するために設けられる。通知部１４は、図１に示すように、表示素子１４１を備える。表示素子１４１は、例えば、光源である。光源は、発光ダイオードを含み得る。通知部１４は、図３に示すように、一対の電路１３１の一方に挿入されている。つまり、通知部１４は、電路１３１に流れる電流を利用して、表示素子１４１を点灯させるように構成されている。この種の表示素子１４１は従来周知の構成により実現可能であるから、詳細な説明は省略する。この通知部１４によれば、第２接続部１２に接続された電気機器への給電状態を容易に把握できる。
【００３１】
筐体１５は、図１、図３及び図４に示すように、箱状である。特に、筐体１５は、矩形の箱状である。筐体１５は、電気絶縁性を有する。筐体１５は、一例として、電気絶縁性を有する樹脂材料の成形品である。筐体１５は、上述したように、第１接続部１１、第２接続部１２、及び電気回路部１３を収容する。この筐体１５によれば、第２接続部１２を分岐開閉器２０の近傍に配置できる。
【００３２】
筐体１５は、長さと幅と高さ（又は厚み）を有しており、高さ方向（図３における上下方向）が前後方向として規定されている。
【００３３】
筐体１５は、図１に示すように、分岐開閉器２０側となる第１面１５１を有している。第１面１５１は、筐体１５の長さに沿った方向（図３における左右方向）の一端側の面である。そして、第１面１５１からは、第１接続部１１の一対の端子１１１が突出している。つまり、第１接続部１１は、筐体１５の長さに沿った方向（図３における左右方向）の一端側（図３における左側）にある。この構成によれば、アダプタ１０の分岐開閉器２０への接続が容易になる。
【００３４】
ここで、筐体１５は、図３及び図４に示すように、第１接続部１１を分岐開閉器２０の負荷接続部２２に接続した状態で、分岐開閉器２０に接触する形状である。この構成によれば、アダプタ１０の分岐開閉器２０への接続が容易になる。具体的には、筐体１５の第１面１５１は、分岐開閉器２０の筐体２４において負荷接続部２２がある側の面に対応する形状となっている。つまり、筐体１５の第１面１５１は、筐体２４において負荷接続部２２がある側の面に嵌るようになっている。これによって、アダプタ１０の筐体１５と分岐開閉器２０の筐体２４とが互いに機械的に結合され、アダプタ１０が分岐開閉器２０に接続された状態が安定する。
【００３５】
筐体１５は、図１に示すように、前側となる第２面１５２を有している。第２面１５２には、第２接続部１２のソケット１２０の一対の挿入孔１２２，１２２が形成されている。また、筐体１５の第２面１５２に、通知部１４の表示素子１４１が露出している。つまり、第２接続部１２及び通知部１４は、筐体１５の前面側にある。第２接続部１２と通知部１４とが筐体１５の同じ側にあることで、第２接続部１２にＡＣプラグＰ１０を接続した際に、通電が正しく行われているかを通知部１４で確認しやすくなる。
【００３６】
また、図４に示すように、筐体１５の幅Ｗ１０（幅方向の寸法）は、分岐開閉器２０の筐体２４の幅Ｗ２０に等しい。つまり、筐体１５は、分岐開閉器２０と同じ幅を有する。したがって、アダプタ１０を分岐開閉器２０に接続した場合、アダプタ１０は、分岐開閉器２０の幅の範囲内に収まる。よって、この筐体１５によれば、アダプタ１０を分電盤３０内に収めやすくなる。また、筐体１５の高さ方向の寸法は、分岐開閉器２０の高さ方向の寸法よりも小さい。特に、アダプタ１０を分岐開閉器２０に接続した際に、筐体１５の第２面１５２が分岐開閉器２０の前面より後ろ側にある（つまり、低い位置にある）。これによっても、アダプタ１０を分電盤３０内に収めやすくなる。
【００３７】
１．１．３  使用例
以上述べた本実施形態のアダプタ１０は、分岐開閉器２０とともに分電盤３０に収容可能である。一例として、図５に示すように、アダプタ１０は、分岐開閉器２０に接続された状態で、分電盤３０のキャビネット３１に収容され得る。図５に示す分電盤３０は、１以上の分岐開閉器２０と、１以上の分岐開閉器２０を収容するキャビネット３１と、アダプタ１０と、を備える。この分電盤３０によれば、分電盤３０への電気機器の接続が容易になる。特に、アダプタ１０は、１以上の分岐開閉器２０のいずれか一つの負荷接続部２２に接続された状態で、分電盤３０のキャビネット３１に収容されているとよい。これによって、分電盤３０の内部に、第２接続部１２を配置できる。
【００３８】
１．２  実施形態２
図６は、本実施形態のアダプタ１０Ａを示す。アダプタ１０Ａは、アダプタ１０と同様に、電気機器を分岐開閉器２０に電気的に接続するために利用される。
【００３９】
アダプタ１０Ａは、図６に示すように、第１接続部１１と、第２接続部１２Ａと、電気回路部１３Ａとを備える。更に、アダプタ１０Ａは、通知部１４を備える。更に、アダプタ１０Ａは、第３接続部１６を備える。更に、アダプタ１０Ａは、第１接続部１１、第２接続部１２Ａ、及び電気回路部１３Ａを収容する筐体１５Ａを備える。なお、通知部１４及び第３接続部１６も筐体１５Ａに収容される。
【００４０】
ここで、図６では、単に図面を簡略化することを目的として、電気回路部１３Ａを概略的に示している。また、同様の目的から、図８では、第１接続部１１、第２接続部１２Ａ、電気回路部１３Ａ、及び通知部１４を概略的に示している。
【００４１】
第２接続部１２Ａは、アダプタ１０Ａへの電気機器の接続に利用される。第２接続部１２Ａは、図６に示すように、ソケット１２０Ａを有する。ソケット１２０Ａは、電気機器のプラグを接続可能に構成されている。本実施形態では、ソケット１２０Ａは、図８に示すようなＤＣプラグＰ２０を接続可能なソケットである。特に、ＤＣプラグＰ２０は、ＵＳＢプラグである。このような第２接続部１２Ａによれば、直流電圧で動作する電気機器の分電盤３０への接続が容易になる。
【００４２】
ソケット１２０Ａは、図７に示すように、一対の端子１２１Ａを有している。一対の端子１２１Ａは、筐体１５Ａに設けられた挿入孔１２２Ａに挿入されたＤＣプラグＰ２０の給電用の一対の端子にそれぞれ電気的かつ機械的に接続される。ソケット１２０Ａは、ＵＳＢプラグに対応するＵＳＢソケットであるから、一対の端子１２１Ａに加えて、信号伝送用の端子を含む複数の端子を含んでいる。
【００４３】
第３接続部１６は、分岐開閉器２０の負荷接続部２２に対応する接続部である。換言すれば、第３接続部１６は、分岐開閉器２０の負荷接続部２２と同じ規格である。つまり、負荷接続部２２に接続可能な端子は、第３接続部１６にも接続可能である。第３接続部１６は、負荷接続部２２と同様に、負荷（配線器具器）との接続に利用される。
【００４４】
第３接続部１６は、一対の端子１６１と、一対の電線挿入孔１６２と、一対の解除ハンドル１６３とを備える。端子１６１は、電線挿入孔１６２に挿入された接続部材（例えば、電線及び端子）に電気的に接続される。端子１６１は、ばねを利用して、電線挿入孔１６２に挿入された接続部材を保持するように構成されている。端子１６１としては、いわゆる速結端子が利用可能である。解除ハンドル１６３は、端子１６１による接続部材の保持を解除するために用いられる。つまり、解除ハンドル１６３が端子１６１のばねを撓ませることで、接続部材を電線挿入孔１６２から抜くことが可能になる。
【００４５】
電気回路部１３Ａは、図７に示すように、第１接続部１１と第２接続部１２Ａとを電気的に接続する。より詳細には、電気回路部１３Ａは、変換回路１３２と、一対の電路１３３，１３３とを備える。
【００４６】
変換回路１３２は、第１接続部１１で受けた交流電圧を直流電圧に変換して第２接続部１２Ａに与える回路である。つまり、変換回路１３２は、第１接続部１１の一対の端子１１１，１１１間の電圧（交流電圧）をもとに、第２接続部１２Ａの一対の端子１２１Ａ，１２１Ａ間に直流電圧を発生させる。変換回路１３２は、ＡＣ／ＤＣコンバータを含み得る。一例としては、変換回路１３２は、ダイオードブリッジ等の整流回路、１以上のチョッパ回路、１以上の平滑コンデンサを含み得る。この種のＡＣ／ＤＣコンバータは従来周知であるから、詳細な説明は省略する。なお、変換回路１３２から出力する直流電圧の大きさは、本実施形態では、ＵＳＢの規格に対応する値（一例として５Ｖ）である。この構成によれば、直流電圧で動作する電気機器の分電盤３０への接続が容易になる。
【００４７】
なお、通知部１４は、図７に示すように、変換回路１３２と第２接続部１２Ａとの間に挿入されている。よって、本実施形態では、通知部１４は、直流電圧によって表示素子１４１を駆動するように構成されている。
【００４８】
一対の電路１３３，１３３は、第１接続部１１の一対の端子１１１，１１１を第３接続部１６の一対の端子１６１，１６１にそれぞれ電気的に接続する。各電路１３３は、第１接続部１１で受けた交流電圧をそのまま第３接続部１６に与える。ここで、「そのまま」とは、厳密な意味で同じであることを要求する趣旨ではない。第３接続部１６から出力される交流電圧を、第１接続部１１に入力された交流電圧と同じ用途に使用できれば、「そのまま」といってよい。つまり、第３接続部１６に接続することが、第１接続部１１に接続することと電気的に等価であればよい。この構成によれば、アダプタ１０Ａを用いた場合でも分岐開閉器２０に配線器具の接続が可能になる。
【００４９】
筐体１５Ａは、図６、図８及び図９に示すように、箱状である。特に、筐体１５Ａは、矩形の箱状である。筐体１５Ａは、電気絶縁性を有する。筐体１５Ａは、一例として、電気絶縁性を有する樹脂材料の成形品である。筐体１５Ａは、長さと幅と高さ（又は厚み）を有しており、高さ方向（図８における上下方向）が前後方向として規定されている。
【００５０】
筐体１５Ａは、図８に示すように、分岐開閉器２０側となる第１面１５１を有している。第１面１５１は、筐体１５の長さに沿った方向（図８における左右方向）の一端側の面である。そして、第１面１５１からは、第１接続部１１の一対の端子１１１が突出している。また、筐体１５Ａは、筐体１５と同様に、図８及び図９に示すように、第１接続部１１を分岐開閉器２０の負荷接続部２２に接続した状態で、分岐開閉器２０に接触する形状である。
【００５１】
筐体１５Ａは、図８に示すように、前側となる第２面１５２を有している。第２面１５２には、図６に示すように、第２接続部１２Ａの挿入孔１２２Ａが形成されている。また、筐体１５Ａの第２面１５２に、通知部１４の表示素子１４１が露出している。つまり、第２接続部１２及び通知部１４は、筐体１５の前面側にある。
【００５２】
また、図９に示すように、筐体１５Ａの幅Ｗ１０（幅方向の寸法）は、分岐開閉器２０の筐体２４の幅Ｗ２０に等しい。つまり、筐体１５は、分岐開閉器２０と同じ幅を有する。また、筐体１５Ａの前後方向の寸法は、分岐開閉器２０の前後方向の寸法よりも小さい。特に、アダプタ１０Ａを分岐開閉器２０に接続した際に、筐体１５Ａの第２面１５２が分岐開閉器２０の前面より後ろ側にある（つまり、低い位置にある）。
【００５３】
更に、筐体１５Ａは、分岐開閉器２０とは反対側となる第３面１５３を有している。第３面１５３は、筐体１５の長さに沿った方向（図８における左右方向）の他端側の面である。つまり、第３面１５３は、第１面１５１とは反対側の面である。そして、第３面１５３には、図６に示すように、第３接続部１６の一対の電線挿入孔１６２が形成され、一対の解除ハンドル１６３が取り付けられる。
【００５４】
以上述べた本実施形態のアダプタ１０Ａも、実施形態１のアダプタ１０と同様に、図５に示す分電盤３０に利用可能である。つまり、アダプタ１０Ａも、分岐開閉器２０とともに分電盤３０に収容可能である。これによって、分電盤３０の内部に、第２接続部１２Ａを配置できる。
【００５５】
１．３  実施形態３
図１０は、本実施形態のアダプタ１０Ｂを示す。アダプタ１０Ｂは、アダプタ１０，１０Ａと同様に、電気機器を分岐開閉器２０に電気的に接続するために利用される。
【００５６】
アダプタ１０Ｂは、第１接続部１１と、２つの第２接続部１２，１２Ａと、電気回路部１３とを備える。更に、アダプタ１０Ｂは、通知部１４を備える。
【００５７】
更に、アダプタ１０Ｂは、図１０に示すように、第１筐体１５１Ｂと、第２筐体１５２Ｂとを備える。第１筐体１５１Ｂは、第１接続部１１を収容する。また、第１筐体１５１Ｂは、通知部１４を収容する。第２筐体１５２Ｂは、第１筐体１５１Ｂと別体である。第２筐体１５２Ｂは、第２接続部１２，１２Ａを収容する。
【００５８】
第１筐体１５１Ｂは、箱状である。特に、第１筐体１５１Ｂは、矩形の箱状である。第１筐体１５１Ｂは、電気絶縁性を有する。第１筐体１５１Ｂは、一例として、電気絶縁性を有する樹脂材料の成形品である。第１筐体１５１Ｂは、長さと幅と高さ（又は厚み）を有しており、高さ方向（図１０における上下方向）が前後方向として規定されている。
【００５９】
第１筐体１５１Ｂは、筐体１５，１５Ａと同様に分岐開閉器２０側となる第１面１５１を有している。第１面１５１からは、第１接続部１１の一対の端子１１１が突出している。また、第１筐体１５１Ｂは、筐体１５，１５Ａと同様に、第１接続部１１を分岐開閉器２０の負荷接続部２２に接続した状態で、分岐開閉器２０に接触する形状である。また、筐体１５１Ｂは、前側となる第２面１５２を有している。第２面１５２には、通知部１４の表示素子１４１が露出している。更に、第１筐体１５１Ｂの幅は、分岐開閉器２０の筐体２４の幅Ｗ２０に等しい。つまり、第１筐体１５１Ｂは、分岐開閉器２０と同じ幅を有する。
【００６０】
第２筐体１５２Ｂは、箱状である。特に、第２筐体１５２Ｂは、矩形の箱状である。第２筐体１５２Ｂは、電気絶縁性を有する。第２筐体１５２Ｂは、一例として、電気絶縁性を有する樹脂材料の成形品である。第２筐体１５２Ｂは、長さと幅と高さ（又は厚み）を有しており、高さ方向（図１０における上下方向）が前後方向として規定されている。第２筐体１５２Ｂは、一面（前面）に、第２接続部１２及び第２接続部１２Ａが設けられている。
【００６１】
電気回路部１３Ｂは、第１接続部１１と第２接続部１２，１２Ａとを互いに電気的に接続するケーブル１３４を含む。ケーブル１３４は、第１筐体１５１Ｂにおいて第１面１５１とは反対側の面から引き出されている。電気回路部１３Ｂは、更に、アダプタ１０の電気回路部１３の一対の電路１３１、１３１と同様の構成を備え、これによって、第１接続部１１で受けた交流電圧をそのまま第２接続部１２に与える。また、電気回路部１３Ｂは、アダプタ１０Ｂの電気回路部１３の変換回路１３２と同様の構成を備え、これによって、第１接続部１１で受けた交流電圧を直流電圧に変換して第２接続部１２Ａに与える。
【００６２】
以上述べた本実施形態のアダプタ１０Ｂも、アダプタ１０，１０Ａと同様に、図５に示す分電盤３０に利用可能である。つまり、アダプタ１０Ｂも、分岐開閉器２０とともに分電盤３０に収容可能である。更に、このアダプタ１０Ｂによれば、第１接続部１１を収容する第１筐体１５１Ｂと、第２接続部１２，１２Ａを収容する第２筐体１５２Ｂとが別体であり、ケーブル１３４で接続されている。そのため、第２接続部１２，１２Ａを分岐開閉器２０から離して配置できる。これによって、分電盤３０の外部に、第２接続部１２，１２Ａを配置できる。
【００６３】
２．変形例
本開示の実施形態は、実施形態１〜３に限定されない。実施形態１〜３は、本開示の目的を達成できれば、設計等に応じて種々の変更が可能である。以下に、実施形態１〜３の変形例を列挙する。
【００６４】
実施形態１〜３において、第１接続部１１、第２接続部１２，１２Ａ、電気回路部１３、１３Ａ，１３Ｂ、通知部１４、筐体１５，１５Ａ，１５１Ｂ，１５２Ｂの形状は、あくまでも一例であって、適宜変形可能である。例えば、筐体１５，１５Ａ，１５１Ｂ，１５２Ｂは、矩形の箱状ではなく、円形の箱状であってよいし、その他の多角形の箱状でもあり得る。この場合において、筐体１５，１５Ａ，１５１Ｂの幅は、分岐開閉器２０の幅より小さくてもよいし、大きくてもよい。また、筐体１５，１５Ａ，１５１Ｂは、必ずしも、第１接続部１１を分岐開閉器２０の負荷接続部２２に接続した状態で、分岐開閉器２０に接触する形状でなくてもよい。
【００６５】
一変形例では、第１接続部１１は、端子１１１が棒形端子ではなく、電線で構成されていてもよい。また、負荷接続部２２の接続端子がねじ端子である場合には、端子１１１は、ねじ端子に対応する端子であってよい。
【００６６】
一変形例では、アダプタ１０は１以上の第２接続部１２を有していてもよい。また、アダプタ１０Ｂは１以上の第２接続部１２Ａを有していてもよい。また、アダプタ１０Ｂは１以上の第２接続部１２と１以上の第２接続部１２Ａとの少なくとも一方を有していてもよい。
【００６７】
一変形例では、第２接続部（１２；１２Ａ）は、１以上のソケット（１２０；１２０Ａ）を有していてよい。また、ソケット１２０は、接地極に対応する接地端子を有していてもよい。接地端子は、刃受けであってもよいし、ねじ端子であってもよい。また、ソケット１２０Ａは、ＵＳＢプラグとは異なるＤＣプラグに対応するソケットであってよい。一例として、ソケット１２０Ａは、モジュラジャックであってもよい。
【００６８】
一変形例では、アダプタ１０，１０Ｂも、第３接続部１６を有していてもよい。
【００６９】
一変形例では、電気回路部１３，１３Ｂは、第１接続部１１で受けた交流電圧の調整（交流電圧の大きさの増加・減少、交流電圧の周波数の増加・減少）をして第２接続部１２に与える回路を含んでいてもよい。
【００７０】
一変形例では、変換回路１３２は、様々な大きさの直流電圧を出力することが可能である。変換回路１３２から出力される直流電圧の大きさは、ＵＳＢの規格に対応する５Ｖに限定されず、使用を想定する電気機器に適した大きさであってよい。
【００７１】
一変形例では、アダプタ１０は、通知部１４を備えていなくてもよい。この点は、アダプタ１０Ａ及びアダプタ１０Ｂにおいても同様である。なお、アダプタ１０Ｂにおいて、通知部１４は、第２筐体１５２Ｂにあってもよい。この場合、通知部１４は、第２接続部１２に対応する表示素子１４１と、第２接続部１２Ａに対応する表示素子１４１とを有していてよい。
【００７２】
３．態様
上記実施形態及び変形例から明らかなように、本開示は、下記の態様を含む。以下では、実施形態との対応関係を明示するためだけに、符号を括弧付きで付している。
【００７３】
第１の態様は、アダプタ（１０；１０Ａ；１０Ｂ）であって、第１接続部（１１）と、第２接続部（１２；１２Ａ）と、電気回路部（１３；１３Ａ；１３Ｂ）とを備える。前記第１接続部（１１）は、分岐開閉器（２０）の負荷接続部（２２）に電気的かつ機械的に接続可能な端子（１１１）を有する。前記第２接続部（１２；１２Ａ）は、ソケット（１２０；１２０Ａ）を有する。前記電気回路部（１３；１３Ａ；１３Ｂ）は、前記第１接続部（１１）と前記第２接続部（１２；１２Ａ）とを電気的に接続する。この態様によれば、分電盤（３０）への電気機器の接続が容易になる。
【００７４】
第２の態様は、第１の態様のアダプタ（１０；１０Ｂ）に基づく。第２の態様では、前記電気回路部（１３；１３Ｂ）は、前記第１接続部（１１）で受けた交流電圧をそのまま前記第２接続部（１２）に与える電路（１３１）を含む。この態様によれば、交流電圧で動作する電気機器の分電盤（３０）への接続が容易になる。
【００７５】
第３の態様は、第２の態様のアダプタ（１０；１０Ｂ）に基づく。第３の態様では、前記ソケット（１２０）は、ＡＣプラグ（Ｐ１０）を接続可能なソケットである。この態様によれば、交流電圧で動作する電気機器の分電盤（３０）への接続が容易になる。
【００７６】
第４の態様は、第１の態様のアダプタ（１０Ａ；１０Ｂ）に基づく。第４の態様では、前記電気回路部（１３Ａ；１３Ｂ）は、前記第１接続部（１１）で受けた交流電圧を直流電圧に変換して前記第２接続部（１２Ａ）に与える変換回路（１３２）を含む。この態様によれば、直流電圧で動作する電気機器の分電盤（３０）への接続が容易になる。
【００７７】
第５の態様は、第４の態様のアダプタ（１０Ａ；１０Ｂ）に基づく。第５の態様では、前記ソケット（１２０Ａ）は、ＤＣプラグ（Ｐ２０）を接続可能なソケットである。この態様によれば、直流電圧で動作する電気機器の分電盤（３０）への接続が容易になる。
【００７８】
第６の態様は、第４の態様のアダプタ（１０Ａ；１０Ｂ）に基づく。第６の態様では、前記ソケット（１２０Ａ）は、ＵＳＢプラグ（Ｐ２０）を接続可能なソケットである。この態様によれば、直流電圧で動作する電気機器の分電盤（３０）への接続が容易になる。
【００７９】
第７の態様は、第１〜第６の態様のいずれか一つのアダプタ（１０Ｂ）に基づく。第７の態様では、前記アダプタ（１０Ｂ）は、前記第１接続部（１１）を収容する第１筐体（１５１Ｂ）と、前記第１筐体（１５１Ｂ）と別体であり、前記第２接続部（１２；１２Ａ）を収容する第２筐体（１５２Ｂ）と、を更に備える。前記電気回路部（１３Ｂ）は、前記第１接続部（１１）と前記第２接続部（１２；１２Ａ）とを互いに電気的に接続するケーブル（１３４）を含む。この態様によれば、第２接続部（１２；１２Ａ）を分岐開閉器（２０）から離して配置できる。
【００８０】
第８の態様は、第１〜第６の態様のいずれか一つのアダプタ（１０；１０Ａ）に基づく。第８の態様では、前記アダプタ（１０；１０Ａ）は、前記第１接続部（１１）、前記第２接続部（１２；１２Ａ）、及び前記電気回路部（１３；１３Ａ）を収容する筐体（１５；１５Ａ）を更に備える。この態様によれば、第２接続部（１２；１２Ａ）を分岐開閉器（２０）の近傍に配置できる。
【００８１】
第９の態様は、第８の態様のアダプタ（１０；１０Ａ）に基づく。第９の態様では、前記筐体（１５；１５Ａ）は、前記分岐開閉器（２０）と同じ幅を有する。この態様によれば、アダプタ（１０；１０Ａ）を分電盤（３０）内に収めやすくなる。
【００８２】
第１０の態様は、第９の態様のアダプタ（１０；１０Ａ）に基づく。第１０の態様では、前記第１接続部（１１）は、前記筐体（１５；１５Ａ）の長さに沿った方向の一端側にある。この態様によれば、アダプタ（１０；１０Ａ）の分岐開閉器（２０）への接続が容易になる。
【００８３】
第１１の態様は、第１０の態様のアダプタ（１０；１０Ａ）に基づく。第１１の態様では、前記筐体（１５；１５Ａ）は、前記第１接続部（１１）を前記分岐開閉器（２０）の負荷接続部（２２）に接続した状態で、前記分岐開閉器（２０）に接触する形状である。この態様によれば、アダプタ（１０；１０Ａ）の分岐開閉器（２０）への接続が容易になる。
【００８４】
第１２の態様は、第１〜第１１の態様のいずれか一つのアダプタ（１０Ａ）に基づく。第１２の態様では、前記アダプタ（１０Ａ）は、分岐開閉器（２０）の負荷接続部（２２）に対応する第３接続部（１６）を更に備える。前記電気回路部（１３Ａ）は、前記第１接続部（１１）で受けた交流電圧をそのまま前記第３接続部（１６）に与える電路（１３３）を含む。この態様によれば、アダプタ（１０Ａ）を用いた場合でも分岐開閉器（２０）に配線器具の接続が可能になる。
【００８５】
第１３の態様は、第１〜第１２の態様のいずれか一つのアダプタ（１０；１０Ａ；１０Ｂ）に基づく。第１３の態様では、前記第１接続部（１１）の端子（１１１）は、速結端子に接続可能な棒形端子である。この態様によれば、アダプタ（１０；１０Ａ；１０Ｂ）の分岐開閉器（２０）への接続が容易になる。
【００８６】
第１４の態様は、第１〜第１３の態様のいずれか一つのアダプタ（１０；１０Ａ；１０Ｂ）に基づく。第１４の態様では、前記アダプタ（１０；１０Ａ；１０Ｂ）は、前記第２接続部（１２；１２Ａ）から電力を出力していることを通知する通知部（１４）を更に備える。この態様によれば、第２接続部（１２；１２Ａ）に接続された電気機器への給電状態を容易に把握できる。
【００８７】
第１５の態様は、分電盤（３０）であって、１以上の分岐開閉器（２０）と、前記１以上の分岐開閉器（２０）を収容するキャビネット（３１）と、第１〜第１４の態様のいずれか一つのアダプタ（１０；１０Ａ；１０Ｂ）と、を備える。この態様によれば、分電盤（３０）への電気機器の接続が容易になる。
【符号の説明】
【００８８】
１０，１０Ａ，１０Ｂ  アダプタ
１１  第１接続部
１１１  端子
１２，１２Ａ  第２接続部
１２０，１２０Ａ  ソケット
１３，１３Ａ，１３Ｂ  電気回路部
１３１  電路
１３２  変換回路
１３３  電路
１３４  ケーブル
１５，１５Ａ  筐体
１５１Ｂ  第１筐体
１５２Ｂ  第２筐体
１６  第３接続部
２０  分岐開閉器
２２  負荷接続部
３０  分電盤
３１  キャビネット
Ｐ１０  ＡＣプラグ
Ｐ２０  ＤＣプラグ
【図１】
2020089074.tif 000003
【図２】
2020089074.tif 000004
【図３】
2020089074.tif 000005
【図４】
2020089074.tif 000006
【図５】
2020089074.tif 000007
【図６】
2020089074.tif 000008
【図７】
2020089074.tif 000009
【図８】
2020089074.tif 000010
【図９】
2020089074.tif 000011
【図１０】
2020089074.tif 000012